(57)【要約】【課題】ルーバーの開閉操作を面格子から十分離れたところからでも容易に行うことができる可動ルーバー面格子の遠隔操作装置を提供する。【解決手段】少なくとも一つルーバー８の支軸部３１側に回動部材１５を固定し、回動部材１５の両端側には夫々可撓性のガイドチューブ１７，１７内に挿入された一対の押し引き操作用ワイヤー１６，１６の夫々一端部１６ａ，１６ａを連結し、両ワイヤー１６，１６の夫々他端部１６ｂ，１６ｂにワイヤーターミナル１８，１８を取り付ける一方、任意の箇所に固定可能な操作台１９には、回転操作ハンドル２０と、両ワイヤーターミナル１８，１８を保持する一対の保持部材２１，２１と、回転操作ハンドル２０の正逆回転運動を前記両保持部材２１，２１の交互往復運動に変換する運動変換機構２２とを設ける。【選択図】図３
2010001643.tif 000002
【特許請求の範囲】
【請求項１】
面格子周枠に軸架した多数のルーバーが連動して一斉に回動開閉するようになっている可動ルーバー面格子の遠隔操作装置であって、
少なくとも一つルーバーの支軸部側に回動部材を同心状に固定し、この回動部材の両端側には夫々可撓性のガイドチューブ内に挿入された所要長さの一対の押し引き操作用ワイヤーの夫々一端部を連結し、両ワイヤーの夫々他端部にワイヤーターミナルを取り付ける一方、任意の箇所に固定可能な操作台を設け、この操作台には、回転操作ハンドルと、両ワイヤーターミナルを保持する一対の保持部材と、回転操作ハンドルの正逆回転運動を前記両保持部材の交互往復運動に変換する運動変換機構とを設け、しかして回転操作ハンドルを正逆回動操作することにより、両押し引き操作用ワイヤーを交互に押し引き操作して、各ルーバーを回動開閉させるようにした可動ルーバー面格子の遠隔操作装置。
【請求項２】
前記運動変換機構は、操作台に軸支した回転操作ハンドルの基軸部に同軸にウォームを設け、このウォームに噛合するウォームギヤを操作台に軸支し、このウォームギヤから一体に延設したアームの先端部と、操作台に中心部を軸支した回動部材の所要部とを連杆で枢支連結し、回動部材には中心部を挟んでその両側に前記一対の保持部材を平行に固定し、しかして回転操作ハンドルの正逆回転により、両保持部材を交互に往復移動させるようにした請求項１に記載の可動ルーバー面格子の遠隔操作装置。
【発明の詳細な説明】
【技術分野】
【０００１】
本発明は、面格子周枠に軸架した多数のルーバーが連動して一斉に開閉するようになっている可動ルーバー面格子の遠隔操作装置に関するものである。
【背景技術】
【０００２】
可動ルーバー面格子は、面格子周枠内に多数のルーバーを例えば横方向に並列して、各ルーバーの両端部を面格子周枠の縦枠に軸支し、これらのルーバーを、連動機構によって一斉に回動開閉するようにしたものである。
【０００３】
そして、ルーバーを開閉させるために、回転操作ハンドルを面格子周枠の縦枠に取り付けると共に、この縦枠内にはハンドルの回転をルーバーの回転軸に伝える複数の歯車を配設している。また、ルーバーを一斉に開閉させるために、下記特許文献１に示すように、何れか一つのルーバーの端部に回転操作ハンドルを取り付けと共に、このハンドルと周枠の縦枠との間にルーバーを所要角度位置にロックするルーバーロック機構を介設したものである。
【特許文献１】特許第３２４２０６５号公報
【発明の開示】
【発明が解決しようとする課題】
【０００４】
上記従来の可動ルーバー面格子では、回転操作ハンドルを面格子周枠あるいはルーバーに設置しているから、ルーバーの開閉操作は、面格子に十分接近した位置でしか行えず、従って例えばキッチンの流し台の向こう側に出窓が設けてあって、その出窓に可動ルーバー面格子が設置されている場合は、流し台の手前側から出窓側の可動ルーバー面格子までは可なりの距離があるため、ハンドルの回転操作が非常にやり難くなる。
【０００５】
本発明は、上記のような事情に鑑み、ルーバーの開閉操作を面格子から十分離れたところからでも容易に行うことができる可動ルーバー面格子の遠隔操作装置を提供することを目的とする。
【課題を解決するための手段】
【０００６】
上記課題を解決するための手段を、後述する実施形態の参照符号を付して説明すると、請求項１に係る発明は、面格子周枠７に軸架した多数のルーバー８が連動して一斉に回動開閉するようになっている可動ルーバー面格子２の遠隔操作装置１４であって、
少なくとも一つルーバー８の支軸部３１側に回動部材１５を同心状に固定し、この回動部材１５の両端側には夫々可撓性のガイドチューブ１７，１７内に挿入された所要長さの一対の押し引き操作用ワイヤー１６，１６の夫々一端部１６ａ，１６ａを連結し、両ワイヤー１６，１６の夫々他端部１６ｂ，１６ｂにワイヤーターミナル１８，１８を取り付ける一方、任意の箇所に固定可能な操作台１９を設け、この操作台１９には、回転操作ハンドル２０と、両ワイヤーターミナル１８，１８を保持する一対の保持部材２１，２１と、回転操作ハンドル２０の正逆回転運動を前記両保持部材２１，２１の交互往復運動に変換する運動変換機構２２とを設け、しかして回転操作ハンドル２０を正逆回動操作することにより、両押し引き操作用ワイヤー１６，１６を交互に押し引き操作して、各ルーバー８を回動開閉させるようにしたことを特徴とする。
【０００７】
請求項２は、請求項１に記載の可動ルーバー面格子２の遠隔操作装置１４において、前記運動変換機構２２は、操作台１９に軸支した回転操作ハンドル２０の基軸部２０ａに同軸にウォーム２３を設け、このウォーム２３に噛合するウォームギヤ２４を操作台１９に軸支し、このウォームギヤ２４から一体に延設したアーム４３の先端部と、操作台１９に中心部を軸支した回動部材４４の所要部とを連杆４５で枢支連結し、回動部材４４には中心部を挟んでその両側に前記一対の保持部材２１，２１を平行に固定し、しかして回転操作ハンドル２０の正逆回転により、両保持部材２１，２１を交互に往復移動させるようにしたことを特徴とする。
【発明の効果】
【０００８】
上記解決手段による発明の効果を、後述する実施形態の参照符号を付して説明すると、請求項１に係る発明によれば、押し引き操作用ワイヤー１６，１６及びこれを挿入するガイドチューブ１７，１７を必要な長さに十分長く設定できるため、ルーバー８の開閉操作を可動ルーバー面格子２から十分離れたところからでも容易に行うことができる。
【０００９】
請求項２に係る発明によれば、運動変換機構２２の部品点数が少なく、その構成が簡単となる。
【発明を実施するための最良の形態】
【００１０】
以下に本発明の好適な一実施形態を図面に基づいて説明すると、図１の(a) はルーバーが閉じて面格子が閉鎖位置にある状態を室外側から見た正面図、(b) は(a) のＸ−Ｘ線拡大断面図であるが、面格子のルーバーが開いた状態（水平姿勢にある）を示す。また、図２は図１の(a) のＹ−Ｙ線拡大断面図、図３は図１の(a) のＺ−Ｚ線拡大断面図である。これらの図において、１は建物の窓開口部で、この窓開口部１内の室外側には可動ルーバー面格子２が配設されている。３は窓開口部１内の室内側に固定された金属製の固定枠で、この固定枠３自体が、例えば引き違い障子を嵌装するサッシ枠となる場合もあるし、またこの固定枠３にサッシ枠が取り付けられる場合もある。
【００１１】
可動ルーバー面格子２は、左右縦枠４，４と上下横枠５，６とからなる面格子周枠７を有し、この面格子周枠７内に水平方向に延びる多数の横長ルーバー８が上下多段状に配設されている。前記固定枠３は、図１の(b) 及び図２に示すように、左右縦材３ａ，３ａ、上横材３ｂ及び下横材（図示省略）とからなるもので、左右縦材３ａ，３ａ内の上端部には面格子取付用のブラケット９，９（図７参照）が取り付けられていて、両ブラケット９，９の先端部に面格子周枠７の左右縦枠４，４の上端部が夫々枢支軸１０，１０によって枢着され、それにより面格子２は、面格子周枠７の上辺側に位置する両枢支軸１０，１０を中心に室外側へ回動開放できるようになっている。
【００１２】
尚、面格子周枠７の左右各縦枠４は、図１の(b) に示すように断面コ字状に形成されていて、内側に内側板４ｏが係嵌されているが、図２及び図３は、図面が複雑化するため、内側板４ｏを取り外した状態で示している。また、この内側板４ｏは図４に仮想線で示している。
【００１３】
そして、面格子２と、窓開口部１の室内側に設けられた固定枠３との間には、面格子２を、窓開口部１が開放される開放位置と窓開口部１が閉鎖される閉鎖位置とに自動的に開閉する面格子開閉手段１１が介設され、この面格子開閉手段１１は、図７に示すように、固定枠３の左右各縦材３ａに沿って配設されたもので、固定枠３の縦材３ａと面格子２との間に介装されたリンク機構１２と、このリンク機構１２を面格子２の閉鎖位置に対応する折畳位置と面格子２の開放位置に対応する展開位置とに往復駆動する直動式往復駆動手段としてのリニアアクチュエータ１３とから構成される。このリニアアクチュエータ１３は例えば電動式のリニアアクチュエータである。
【００１４】
各ルーバー８は、図２〜図４に示すように、横断面全体が概略Ｓ字形状でその中央部の横断面が概略楕円形の中空状に形成されたアルミ合金の押出型材からなるもので、その楕円形中空部２５は隔壁部２６を介して両側の断面略三角形中空部２５ａ，２５ａに分割され、隔壁部２６にはビスポケット２７がルーバー８の全長にわたって形成されている。
【００１５】
また図４に示すように、各ルーバー８の両端部には合成樹脂により一体成形された端部キャップ２８が夫々取り付けられ、各端部キャップ２８は、ルーバー８の端面の中空部２５を覆うキャップ本体２９の内端側に、中空部２５の両側三角形中空部２５ａ，２５ａに嵌合される一対の嵌合凸部３０，３０を突設すると共に、キャップ本体２９の外端側には、面格子周枠７の縦枠４の内側板４ｏに設けた軸孔３４に回転自在に支持される支軸部３１と、この支軸部３１の外端側に支軸部３１よりも径小の角軸部３２とを同軸に形成し、更に支軸部３１、角軸部３２及びキャップ本体２９の軸芯を貫通するビス挿通孔３３を設けてなるものである。
【００１６】
各ルーバー８を面格子周枠７の左右縦枠４，４に取り付けるには、ルーバー８の両端部に端部キャップ２８，２８を取り付けた後、両端部キャップ２８，２８の支軸部３１，３１を縦枠４，４の内側板４ｏ，４ｏにの軸孔３４，３４に夫々挿通することによって、ルーバー８を左右縦枠４，４に回転自在に軸架する。この後、各ルーバー８の一端側の端部キャップ２８の角軸部３２に、クランクアーム３５の一端側に設けた角孔３６を嵌合し、この角孔３６の反対側端部のビス挿通孔３７から挿通したビス３８を、端部キャップ２８のビス挿通孔３３を通じてルーバー８のビスポケット２７にねじ込むことによって、端部キャップ２８をルーバー８に固定すると共に、クランクアーム３５を端部キャップ２８に固定する。
【００１７】
上記のように各ルーバー８の一端側の端部キャップ２８にクランクアーム３５を取付固定した後、各クランクアーム３５の先端側に突設してある縮径可能な割りピン３９を連杆４０のピン孔４０ａに嵌め込むことにより、各ルーバー８をクランクアーム３５を介して連動連結し、これにより各ルーバー８が連動して一斉に回動開閉し得る状態となり、この状態を図２に示す。
【００１８】
各ルーバー８の他端側では、図３に示すように、例えば最上段のルーバー８の端部キャップ２８の支軸部３１と同軸にある角軸部３２と、最上段から４段目のルーバー８の端部キャップ２８の支軸部３１と同軸にある角軸部３２とに夫々円板状の回動部材１５を同心状に取付け固定し、これら２つの回動部材１５，１５を連杆４２，４２によって連動連結する。尚、この実施形態では、回動部材１５は円板状としているが、円板状体に限らず、矩形状や帯板状に形成し、その矩形状体や帯板状体の長手方向中心部を前記角軸部３２に取付け固定すればよい。また、この実施形態では回動部材１５を二つのルーバー８に設けているが、この回動部材１５は、ルーバー８の数が比較的少ない場合は一つのルーバー８にのみ設けてもよい。
【００１９】
次に、可動ルーバー面格子８の開閉を遠隔操作する可動ルーバー面格子の遠隔操作装置１４について図３、図５及び図６を参照しながら説明すれば、この遠隔操作装置１４は、上記のように最上段のルーバー８の端部キャップ２８の支軸部３１と同軸にある角軸部３２と、最上段から４段目のルーバー８の端部キャップ２８の支軸部３１と同軸にある角軸部３２とに夫々円板状の回動部材１５を同心状に取付け固定し、そして上段側回動部材１５の両端側、つまりこの場合は連杆４２，４２の上端部に、夫々可撓性のガイドチューブ１７，１７内に挿入された所要長さの一対の押し引き操作用ワイヤー１６，１６の夫々一端部１６ａ，１６ａを連結し、両ワイヤー１６，１６の夫々他端部１６ｂ，１６ｂにワイヤーターミナル１８，１８を取り付ける一方、任意の箇所に固定可能な操作台１９を設け、この操作台１９には、回転操作ハンドル２０と、両ワイヤーターミナル１８，１８を保持する一対の保持部材２１，２１と、回転操作ハンドル２０の正逆回転運動を前記両保持部材２１，２１の交互往復運動に変換する運動変換機構２２とを設け、回転操作ハンドル２０を正逆回動操作することによって、両押し引き操作用ワイヤー１６，１６を交互に押し引き操作して、各ルーバー８を回動開閉させるようにしたものである。
【００２０】
運動変換機構２２は、図５及び図６に示すように、操作台１９に軸支した回転操作ハンドル２０の基軸部２０ａに同軸にウォーム２３を形成し、このウォーム２３に噛合する扇形のウォームギヤ２４を操作台１９に軸支し、この扇形ウォームギヤ２４から一体に延設したアーム４３の先端部と、操作台１９に中心部を枢軸５０によって軸支した円板状の回動部材４４の所要部とを連杆５２によって枢支連結し、回動部材４４には中心部を挟んでその両側に前記一対の保持部材２１，２１を平行に固定し、しかして回転操作ハンドル２０の正逆回転により、両保持部材２１，２１を交互に往復移動させるようにしたものである。尚、この実施形態では、回動部材４４は円板状となっているが、円板状体に限らず、矩形状や帯板状に形成し、その矩形状体や帯板状体の長手方向中心部を操作台１９に枢軸５０で軸支すればよい。
【００２１】
ワイヤーターミナル１８は外周面に雄ねじ１８ａを形成した円筒部材からなるもので、この円筒部材１８に一端側から各押し引き操作用ワイヤー１６の他端部１６ｂを挿通し、このワイヤー１６の挿通端部を円筒部材１８の他端側に固着し、その固着部を１８ｂで示す。また、保持部材２１は、横断方向に貫設された貫通孔２１ａを有する円柱部材からなるもので、回動部材４４の枢軸５０を挟んでその両側対向位置に固定されて、この保持部材２１の貫通孔２１ａをワイヤーターミナル１８が貫通し、このワイヤーターミナル１８に螺合された一対のロックナット４５，４５によって、ワイヤーターミナル１８が所要位置に固定されるようになっている。
【００２２】
一対の押し引き操作用ワイヤー１６，１６は、図３に示すように、固定枠３の上横材３ｂに室内外方向に貫設された貫通孔４６に挿通され、ワイヤー１６の一端部１６ａ側は、面格子周枠７の上横枠５に上下方向に貫設された貫通孔４７を貫通して、片方の縦枠４内に挿入され、上段側回動部材１５に取り付けられている。また、一対の押し引き操作用ワイヤー１６，１６は、必要な箇所で連結具４８によって連結することができる。また、両ワイヤー１６，１６を挿通しているガイドチューブ１７，１７は、適当箇所を結束具４９で結束するのが好ましい。
【００２３】
上記のように構成される可動ルーバー面格子２の遠隔操作装置１４の使用にあたって、図６に示される回転操作ハンドル２０を矢印ａの方向に回転させると、ウォーム２３及び扇形のウォームギヤ２４を介してアーム４３が矢印ａの方向に揺動するのに伴い、連杆５２を介して回動部材４４が枢軸５０を中心に矢印ａの方向に回動し、これによって図６の上側の押し引き操作用ワイヤー１６は押されてガイドチューブ１７内を矢印ａ方向に移動すると同時に、下側の押し引き操作用ワイヤー１６は引っ張られてガイドチューブ１７内を矢印ａ方向に移動する。これにより、図３に示す押し引き操作用ワイヤー１６，１６のうちの一方の押し引き操作用ワイヤー１６の端部１６ａが左側の連杆４２を下方へ押動すると同時に、他方の押し引き操作用ワイヤー１６の端部１６ａが右側の連杆４２を引き上げることになって、図３に実線で示す閉鎖位置にある各ルーバー８を、仮想線で示す開放位置に回動開放させる。
【００２４】
しかして、各ルーバー８が図３の仮想線で示す開放位置にある状態から、図６に示される回転操作ハンドル２０を矢印ｂの方向に回転させると、ウォーム２３及び扇形のウォームギヤ２４を介してアーム４３が矢印ｂ方向に揺動するのに伴い、連杆４５を介して回動部材４４が矢印ｂの方向に回動し、これによって図６の上側の押し引き操作用ワイヤー１６は引っ張られてガイドチューブ１７内を矢印ｂ方向に移動すると同時に、下側の押し引き操作用ワイヤー１６は押されてガイドチューブ１７内を矢印ｂ方向に移動し、これにより図３に示す押し引き操作用ワイヤー１６，１６のうちの一方の押し引き操作用ワイヤー１６の端部１６ａが左側の連杆４２を引き上げると同時に、他方の押し引き操作用ワイヤー１６の端部１６ａが右側の連杆４２を押動することになって、図６の仮想線で示す開放位置にある各ルーバー８を、実線で示す閉鎖位置に回動閉鎖させる。
【００２５】
また、この遠隔操作装置１４の使用にあたり、操作台１９は建物室内の所要箇所に、例えば室内壁面、柱等にビス等の適当な固定具によって固定する。また図３に示すように、ガイドチューブ１７，１７に挿入した押し引き操作用ワイヤー１６，１６の一端部１６ａ，１６ａ側を面格子周枠７の上横枠５に設けた貫通孔４７に挿通した後、ガイドチューブ１７，１７を固定部材５１を介して上横枠５に固定する。また、図３に示す連結具４８もビス等の適当な固定具で固定枠３等の所要箇所に固定する。
【００２６】
この遠隔操作装置１４を使用すれば、押し引き操作用ワイヤー１６，１６及びこれを挿入するガイドチューブ１７，１７を必要な長さに十分長く設定できるため、例えばキッチンの流し台の向こう側に出窓が設けてあって、その出窓に可動ルーバー面格子２を設置した場合でも、流し台の手前側の操作し易い箇所に操作台１９を設置することにより、ルーバー８の開閉操作を容易に行うことができる。
【００２７】
尚、図７に示す面格子開閉手段１１のリンク機構１２は、一端部が固定枠３の各縦材３ａ内に取り付けられた取付部材５４にピン５５で枢着されたリンク１２ａと、一端部が面格子２の縦枠４に取り付けられた取付部材５６にピン５７で枢着されたリンク１２ｂとからなるもので、両リンク１２ａ，１２ｂの他端部どうしがピン５８で枢着されている。リニアアクチュエータ１３は、可動体１３ｂが円筒状本体１３ａに対し軸方向に伸縮するように往復移動するもので、円筒状本体１３ａの基端部は、固定枠３の縦材３ａ内に取り付けられた取付部材５９にピン６０によって枢着され、可動体１３ｂの先端部がリンク機構１２の両リンク１２ａ，１２ｂの夫々他端部と共に前記ピン５８で枢着されている。
【００２８】
この面格子開閉手段１１の動作について説明すると、図７の実線で示すように可動ルーバー面格子２が閉鎖位置にある時は、リンク機構１２及びリニアアクチュエータ１３は、固定枠３の縦材３ａの中に納まるように折り畳まれた状態なっている。しかして、この状態からリニアアクチュエータ１３の可動体１３ｂが伸張作動すると、同図の仮想線で示すように、リンク機構１２が折畳位置から開放位置へと展開して面格子２を開放することになり、またリニアアクチュエータ１３の可動体１３ｂが収縮作動すると、リンク機構１２が開放位置から折り畳まれてリニアアクチュエータ１３と共に縦材３ａの中に収納され、面格子２を閉鎖することになる。
【図面の簡単な説明】
【００２９】
【図１】(a) はルーバーが閉じて面格子が閉鎖位置にある状態を室外側から見た正面図、(b) は(a) のＸ−Ｘ線拡大断面図である。
【図２】図１の(a) のＹ−Ｙ線拡大断面図である。
【図３】図１の(a) のＺ−Ｚ線拡大断面図である。
【図４】ルーバー、端部キャップ、クランクアーム及び連杆を示す斜視図である。
【図５】遠隔操作装置の操作台部分を示す斜視図である。
【図６】同遠隔操作装置の操作台部分の正面図である。
【図７】図１の(b) のＺ−Ｚ線断面図である。
【符号の説明】
【００３０】
７            面格子周枠
８            ルーバー
１５          回動部材
１６          押し引き操作用ワイヤー
１７          ガイドチューブ
１８          ワイヤーターミナル
１９          操作台
２０          回転操作ハンドル
２１          保持部材
２２          運動変換機構
３１          支軸部
【図１】
2010001643.tif 000003
【図２】
2010001643.tif 000004
【図３】
2010001643.tif 000005
【図４】
2010001643.tif 000006
【図５】
2010001643.tif 000007
【図６】
2010001643.tif 000008
【図７】
2010001643.tif 000009